(57)【特許請求の範囲】
【請求項１】
ディスク状の記憶媒体を回転可能に保持する固定枠を有する記憶装置であって、前記記憶媒体の回転軸心と直交する平面上で前記固定枠に対して相対的に移動できる質量体と、この質量体と前記固定枠との間で相対的移動時に移動抵抗力を与えて、その抵抗力により、前記記憶媒体の回転時における前記固定枠の振動エネルギを減衰させる振動制御手段とからなる記憶媒体保持装置を備え、前記振動制御手段は、前記固定枠または固定枠側面に設けられる外枠に設置される固定部磁石と前記質量体に設置され前記固定部磁石と互いに磁気吸引または磁気反発し合う可動部磁石とからなり、さらに前記記憶媒体保持装置に固定部磁石と可動部磁石とが２対設けられ、前記各対は、質量体に対する磁気吸引力が同方向かつ逆向きとなる配置とされ、かつ、前記固定部磁石および前記可動部磁石は磁石素材に複数の磁極を形成してなる多極着磁磁石であることを特徴とする記憶装置。
【請求項２】
請求項１記載の記憶装置において、多極着磁磁石は長方形の平板磁石素材を板厚方向に着磁し、前記平板磁石素材の短辺長さを長辺長さとした長方形磁極を、前記平板磁石素材の長辺方向に任意の間隔で複数個形成して構成され、前記長方形磁極の隣り合う磁極を異磁極とし、かつ、前記質量体の静止位置において向き合う固定部磁石と可動部磁石との各磁極を互いに異磁極としたことを特徴とする記憶装置。
【請求項３】
請求項１または２に記載の記憶装置において、質量体は着脱できる調整用おもり部を有することを特徴とする記憶装置。
【請求項４】
請求項１から３までのいずれかに記載の記憶装置において、固定枠または外枠と質量体との間に配置され、前記固定枠または外枠に取り付けられたベアリング部と前記質量体に取り付けられた受座とからなり、前記質量体を移動可能に支持する可動支持部を有することを特徴とする記憶装置。
【請求項５】
請求項１から３までのいずれかに記載の記憶装置において、固定枠または外枠と質量体との間に配置され、前記固定枠または外枠に取り付けられた受座と前記質量体に取り付けられたベアリング部とからなり、前記質量体を移動可能に支持する可動支持部を有することを特徴とする記憶装置。
【請求項６】
請求項１から５までのいずれかに記載の記憶装置において、振動制御手段および質量体は、記憶媒体の回転数にほぼ一致する固有振動数を有することを特徴とする記憶装置。
【請求項７】
請求項１から６までのいずれかに記載の記憶装置において、固定枠または外枠に、質量体の移動範囲を制限する移動変位制限部を設けたことを特徴とする記憶装置。
【請求項８】
請求項７記載の記憶装置において、移動変位制限部は、質量体の移動方向に間隔をおいて設置され、振動する前記質量体と当接して前記質量体の移動範囲を制限するストッパと、このストッパを固定枠または外枠に固定するナットとから構成されることを特徴とする記憶装置。
【請求項９】
請求項１から８までのいずれかに記載の記憶装置において、記憶媒体保持装置は、記憶装置の固定枠に複数台設置されたことを特徴とする記憶装置。
【発明の詳細な説明】
【０００１】
【発明の属する技術分野】
本発明は、電子機器等に使用される記憶装置に係り、記憶装置内における記憶媒体の回転により生じる振動を低減させた記憶装置に関するものである。
【０００２】
【従来の技術】
一般に電子計算機に使用される情報記憶用の外部記憶装置、例えば磁気ディスク記憶装置、光磁気ディスク記憶装置または光ディスク記憶装置などの記憶装置では、ディスク状の記憶媒体を回転駆動する構成となっている。
【０００３】
このような記憶装置では、その故障時または記憶容量不足等の老朽化時に、記憶装置全体を容易に交換可能とすることが求められている。
【０００４】
以下において、図７から図９までを参照して、従来の記憶装置の概要を説明する。
【０００５】
図７は、従来における、記憶装置の構成を示す上面図である。
【０００６】
図７に示すように、記憶装置１は、四角形状の固定枠２内にディスク状の記憶媒体３が収納されており、この記憶媒体３は回転可能に固定枠２内に保持されている。この固定枠２の一側面には、電気的な接続を行うための記憶装置コネクタ部４が設けられ、この記憶装置コネクタ部４と隣り合う側面であり対向する両側面にはガイド部５が設けられる。そして、このガイド部５により、図示しない電子機器への記憶装置１の取り付けおよび取り外しを行う際のガイドを行う。
【０００７】
図８は、従来における、記憶装置の電子機器への取り付け状態を示す上面図である。
【０００８】
図８に示すように、記憶装置１の外周面には、電子機器または図示しない記憶装置専用筐体に設けられたコ字型の記憶装置取付部６が配置されており、この記憶装置取付部６内側には、電子機器コネクタ部７が設置され、この電子機器コネクタ部７と隣り合う側面であり対向する両側面にガイドレール８が設置される。そして、このガイドレール８に記憶装置１のガイド部５がガイドされて挿入され、記憶装置１における記憶装置コネクタ部４と記憶装置取付部６における電子機器コネクタ部７とが結合され、記憶装置取付部６内に記憶装置１が設置される。さらに、固定金具９を介して固定枠２と記憶装置取付部６とが接続されており、固定ねじ１０によりねじ止めが行われ記憶装置１が記憶装置取付部６内に固定される。
【０００９】
図９は、従来における、記憶装置の電子機器への取り付け状態を示す上面図である。
【００１０】
図９は、ほぼ図８と同様の構成であり、異なるのは、固定枠２と記憶装置取付部６との間に防振ゴム１１を取り付けて記憶装置１を記憶装置取付部６内に固定した点である。
【００１１】
このような構成の記憶装置１は記憶媒体３が一定回転数で回転し、また、記憶装置１の図示しない読み出しおよび書き込みヘッドが記憶媒体３上を移動することにより、記憶媒体３上の任意の位置において情報の読み出しおよび書き込みをすることができる。
【００１２】
近年、このような記憶装置１においては、その読み出しおよび書き込み速度を向上させるために、記憶媒体３をより高回転数化する傾向にある。
【００１３】
【発明が解決しようとする課題】
しかしながら、記憶媒体３を高回転数化すると、記憶装置１に発生する振動も増大するため、記憶装置１の情報の読み出しおよび書き込み機能の信頼性を損なう恐れがあるという問題を有していた。
【００１４】
記憶装置１の振動対策として、従来においては、図８に示すように固定枠２と記憶装置取付部６とを固定金具９および固定ねじ１０により固定する、または、図９に示すように、固定枠２と記憶装置取付部６との間に防振ゴム１１を取り付けることにより振動を軽減させていた。ところが、例えば連続運転プラント用電子計算機のように、運転中に容易に交換および保守する必要がある記憶装置１の場合には、交換作業を行う際にこれらの固定ねじ１０または防振ゴム１１などを取り外す作業が必要となり、交換作業が繁雑であるという問題を有していた。
【００１５】
一方、記憶装置１の振動対策を考慮していない既存の電子機器に対してより高速回転型の記憶装置１を適用しようとする場合には、振動対策のために新たな固定用部品等の設計および製作が必要となり、また、この記憶装置１を多数使用する電子機器の場合には、この振動対策が大掛かりなものとなり非現実的なものとなってしまうという問題を有していた。
【００１６】
本発明はこれらの問題を解決するためになされたものであり、記憶装置の交換作業性を損なわずに、記憶媒体の高速回転に伴う振動を低減させて信頼性を向上させた記憶装置を提供することを目的とする。
【００１７】
【課題を解決するための手段】
請求項１記載の記憶装置は、ディスク状の記憶媒体を回転可能に保持する固定枠を有する記憶装置であって、前記記憶媒体の回転軸心と直交する平面上で前記固定枠に対して相対的に移動できる質量体と、この質量体と前記固定枠との間で相対的移動時に移動抵抗力を与えて、その抵抗力により、前記記憶媒体の回転時における前記固定枠の振動エネルギを減衰させる振動制御手段とからなる記憶媒体保持装置を備え、前記振動制御手段は、前記固定枠または固定枠側面に設けられる外枠に設置される固定部磁石と、前記質量体に設置され前記固定部磁石と互いに磁気吸引または磁気反発し合う可動部磁石とからなり、さらに前記記憶媒体保持装置に固定部磁石と可動部磁石とが２対設けられ、前記各対は、質量体に対する磁気吸引力が同方向かつ逆向きとなる配置とされ、かつ、前記固定部磁石および前記可動部磁石は磁石素材に複数の磁極を形成してなる多極着磁磁石であることを特徴とする。
【００１８】
本発明によれば、移動抵抗力を与える振動制御手段として磁石を使用することにより、例えば、コイルばねと比較して設置のための要求スペースを縮小できることから、記憶装置の小型化を図ることができる。
また、２対設けられた固定部磁石の一つによって質量体に固定された可動部磁石が吸引された場合、その逆方向からもう一つの固定部磁石によって質量体に固定されたもう一方の可動部磁石が吸引される。これにより、質量体の磁気吸引力方向に生じる力を零または磁気吸引力に対して大幅に小さくすることができ、可動支持部の負荷を軽減でき、その抵抗力の影響が減少するとともに寿命を大幅に伸ばすことができる。
さらに、記憶装置の交換作業性を損なうことなく、記憶媒体の回転に伴う振動を低減できることから、記憶媒体を高回転数とした場合においても、記憶装置の記憶容量を増大させ、読み出しおよび書き込み速度を向上させるとともに、振動による動作不良のない信頼性の高い記憶装置を得ることができる。
【００１９】
請求項２記載の発明は、請求項１記載の記憶装置において、記憶媒体保持装置は、固定枠の内部または外部に配置されることを特徴とする。
【００２０】
本発明によれば、記憶媒体保持装置を固定枠の内部または外部に設置した場合においても、固定枠の振動を低減することが可能である。
【００２１】
請求項３記載の発明は、請求項２記載の記憶装置において、質量体と振動制御手段とを収納する外枠が設けられ、この外枠が固定枠に接続して設置され記憶媒体保持装置が前記固定枠の外部に配置されることを特徴とする。
【００２２】
本発明によれば、記憶媒体の回転により固定枠が振動すると、この固定枠に固定接続された外枠内の質量体が振動し、この質量体は振動制御手段により移動抵抗力が付与されて外枠の振動が減衰され、これに応じて固定枠の振動エネルギが減衰される。従って、記憶媒体保持装置が固定枠の外部に配置された場合においても、記憶装置の定常動作時における固定枠の振動を低減でき、記憶装置の読み出しおよび書き込み時の信頼性を向上することができる。
【００２３】
また本発明によれば、記憶媒体保持装置を固定枠の外部に配置すると、必要に応じて記憶媒体保持装置を記憶装置から取り外すことができることから、記憶装置の調整および保守作業等が容易となる。
【００２４】
さらに、既存の従来型記憶装置の外部に記憶媒体保持装置を設置することにより、振動低減効果を付加することもできる。
【００３０】
さらに本発明によれば、固定部磁石および可動部磁石を多極着磁磁石とすることにより、例えば、複数個の矩形磁石を順次磁石同士を接続する磁性材料であるバックヨークに固定する磁石製作方法と比較して、固定部磁石および可動部磁石の製作性が向上する。また、隣接する磁極間の磁石素材もある程度磁化されることから、より大きな磁気による移動抵抗力が得られる。このため、磁石形状を比較的小型化した場合においても従来と同一の磁気ばね定数を得ることができるため、記憶装置全体の小型化を図ることができる。
【００３１】
請求項２記載の発明は、請求項１記載の記憶装置において、多極着磁磁石は長方形の平板磁石素材を板厚方向に着磁し、前記平板磁石素材の短辺長さを長辺長さとした長方形磁極を、前記平板磁石素材の長辺方向に任意の間隔で複数個形成して構成され、前記長方形磁極の隣り合う磁極を異磁極とし、かつ、前記質量体の静止位置において向き合う固定部磁石と可動部磁石との各磁極を互いに異磁極としたことを特徴とする。
【００３２】
本発明によれば、平板磁石素材の短辺の長さを長辺長さとする磁極形状とすることにより、平板磁石素材の長辺方向に質量体が移動した場合の各磁極間の吸引力および反発力を効率的に利用でき、大きな磁気的復元力を得ることができる。また、平板磁石素材内の隣り合う磁極および固定部磁石と可動部磁石との向き合う磁極を異磁極として磁石全体の磁束を強めることにより、磁石全体を小型化することが可能となる。
【００３３】
請求項３記載の発明は、請求項１または２に記載の記憶装置において、質量体は着脱できる調整用おもり部を有することを特徴とする。
【００３４】
本発明によれば、調整用おもり部として、例えばボルトを用いて質量体から取り外しまたは取り付けることにより、記憶媒体の回転数に対して、質量体および振動制御手段の固有振動数の微調整が可能となり、記憶装置の振動低減効果の最適化を図ることができる。
【００３５】
請求項４記載の発明は、請求項１から３までのいずれかに記載の記憶装置において、固定枠または外枠と質量体との間に配置され、前記固定枠または外枠に取り付けられたベアリング部と前記質量体に取り付けられた受座とからなり、前記質量体を移動可能に支持する可動支持部を有することを特徴とする。
【００３８】
本発明によれば、質量体が振動すると、ベアリング部と受座によってガイドされることにより、質量体がより安定に振動し、より有効な制振効果が得られる。また、比較的簡易な構成によって質量体の安定な振動状態が得られるため、製作性が向上する。
【００３９】
請求項５記載の発明は、請求項１から３までのいずれかに記載の記憶装置において、固定枠または外枠と質量体との間に配置され、前記固定枠または外枠に取り付けられた受座と前記質量体に取り付けられたベアリング部とからなり、前記質量体を移動可能に支持する可動支持部を有することを特徴とする。
【００４０】
本発明によれば、質量体が振動すると、質量体に取り付けた受座と記憶装置の固定枠または外枠に取り付けたベアリング部とによってガイドされることにより、質量体がより安定に振動し、より有効な制振効果が得られる。また、質量体側に取り付ける受座は、質量体の振幅が小さい場合にはベアリング部よりも軽量および小型となることから、可動部である質量体全体の軽量化および小型化を図ることができる。
【００４１】
また本発明によれば、ベアリング部の高さ調整が可能となり、質量体の動作安定化を図ることができる。
【００４２】
請求項６記載の発明は、請求項１から５までのいずれかに記載の記憶装置において、振動制御手段および質量体は、記憶媒体の回転数にほぼ一致する固有振動数を有することを特徴とする。
【００４３】
本発明によれば、記憶媒体が一定回転数で回転している場合、その振動数によって振動制御手段および質量体からなる振動系がその共振点近傍で振動することにより、記憶装置の固定枠の振動をより効果的に低減し、記憶装置の信頼性を向上することができる。
【００４４】
請求項７記載の発明は、請求項１から６までのいずれかに記載の記憶装置において、固定枠または外枠に、質量体の移動範囲を制限する移動変位制限部を設けたことを特徴とする。
【００４５】
請求項８記載の発明は、請求項７記載の記憶装置において、移動変位制限部は、質量体の移動方向に間隔をおいて設置され、振動する前記質量体と当接して前記質量体の移動範囲を制限するストッパと、このストッパを固定枠または外枠に固定するナットとから構成されることを特徴とする。
【００４６】
請求項７および８記載の発明によれば、移動変位制限部を設けることにより質量体の振幅を制限することができる。このため、万が一、質量体と振動制御手段とによる固有振動数と記憶媒体の回転数とのずれにより質量体の振幅が想定以上に増大した場合においても、その振動により記憶装置の固定枠の振動を増加させることがないため、信頼性の高い記憶装置を得ることができる。
【００４７】
請求項９記載の発明は、請求項１から８までのいずれかに記載の記憶装置において、記憶媒体保持装置は、記憶装置の固定枠に複数台設置されたことを特徴とする。
【００４８】
本発明によれば、記憶媒体の回転により記憶装置の固定枠に生じる振動の方向および大きさ応じて、適宜複数の記憶媒体保持装置を取り付けることにより、１台のみ設けた場合よりもより有効に記憶装置の固定枠の振動を低減することができ、記憶装置の信頼性が向上する。また、振動方向の異なる位置に複数台の記憶媒体保持装置を取り付けていることから、さらに振動低減効果が向上し、記憶装置の信頼性を高めることができる。
【００４９】
【発明の実施の形態】
以下において、本発明における記憶装置の実施形態を図１から図６を用いて説明する。
【００５０】
第１実施形態（図１〜図４）
本実施形態においては、固定枠の外部に記憶媒体保持装置を設けた記憶装置について説明する。
【００５１】
図１は、記憶装置の固定枠外部に記憶媒体保持装置を設けた記憶装置の構成を示す上面図である。
【００５２】
図１に示すように、記憶装置２０は、四角形状の固定枠２１内に図示しないディスク状の記憶媒体が収納されており、この記憶媒体は回転可能に固定枠２１内に保持されている。この固定枠２１の一側面には、電気的な接続を行うための記憶装置コネクタ部２２が設けられ、この記憶装置コネクタ部２２と対向する側面には外枠２３に収納された記憶媒体保持装置２４が接続されている。また、記憶装置コネクタ部２２と隣り合う側面であり対向する両側面にはガイド部２５が設けられ、このガイド部２５により、図示しない電子機器への記憶装置２０の取り付けおよび取外しを行う際のガイドがなされる。
【００５３】
図２は、外枠に収納された記憶媒体保持装置の構成を示す側断面図である。
【００５４】
図２に示すように、記憶媒体保持装置２４は、外枠２３内に可動支持部２６を介して移動可能に質量体２７が設置され、この質量体２７と外枠２３との間に、質量体２７に移動抵抗力を付与して外枠２３の振動エネルギを減衰させると同時に、図示しない記憶装置の固定枠における振動エネルギを減衰させる振動制御手段２８が設けられる。
【００５５】
質量体２７は、中央部に調整用おもり部２９としてのボルト３０が５個取り付けられ、この質量体２７の両端にはそれぞれ可動支持部２６としてのベアリング３１ａ，３１ｂが軸部３２ａ，３２ｂを介して取り付けられる。そして、このベアリング３１ａ，３１ｂをそれぞれガイドする平面受座３３ａ，３３ｂが外枠２３内側の上下面に各々固定されている。
【００５６】
質量体２７中央部の上下面には、振動制御手段２８としての可動部磁石３４ａ，３４ｂが固定され、これらの可動部磁石３４ａ，３４ｂと向き合う位置であり、外枠２３内側の上下面には、振動制御手段２８としての固定部磁石３５ａ，３５ｂがそれぞれ固定される。
【００５７】
図３（ａ）は、可動部磁石および固定部磁石として適用した多極着磁磁石の側面図であり、図３（ｂ）は、その上面図である。
【００５８】
図３（ａ）および図３（ｂ）に示すように、可動部磁石３４ａ，３４ｂおよび固定部磁石３５ａ，３５ｂとして適用される多極着磁磁石３６は、長方形平板形状であり、磁性材料からなるバックヨーク３７と、このバックヨーク３７の上部に接着固定された磁石素材３８とから構成される。
【００５９】
磁石素材３８には、図示しない着磁器により上下方向に複数箇所を同時着磁する多極着磁により複数の磁極が形成されており、その表面には、一定の磁極間隔３９をあけて、交互にＳ極４０およびＮ極４１が形成されている。なお、Ｓ極４０およびＮ極４１の各磁極形状は、磁石素材３８の短辺長さを長辺とした長方形形状とした。
【００６０】
このような構成の多極着磁磁石を用いて、質量体２７の上下面に可動部磁石３４ａ，３４ｂを設置し、外枠２３内側の上下面に固定部磁石３５ａ，３５ｂを設置した。
【００６１】
図４（ａ）は、可動部磁石および固定部磁石の静止状態を示す側面図であり、図４（ｂ）は、可動部磁石および固定部磁石が相対変位した状態を示す側面図である。
【００６２】
図４（ａ）に示すように、可動部磁石３４および固定部磁石３５は、それぞれの磁石素材３８が向かい合う配置とされており、記憶装置の静止状態において、向かい合う可動部磁石３４および固定部磁石３５の各磁極は異磁極とされる。
【００６３】
図４（ｂ）に示すように、振動などにより可動部磁石３４が図４（ａ）に示す静止位置から矢印Ｘの方向に移動すると、可動部磁石３４および固定部磁石３５の各磁極について、磁石間吸引力Ｆ１および磁石間反発力Ｆ２が生じ、磁気的復元力が得られる。
【００６４】
本実施形態における記憶装置２０では、記憶装置２０の固定枠２１内の図示しない磁気ディスクなどの記憶媒体が一定回転数で回転すると、その微小な偏心質量等により記憶装置２０の固定枠２１に振動が発生する。この振動は、記憶装置２０の固定枠２１外部に固定された記憶媒体保持装置２４の外枠２３に伝達して、外枠２３を振動させる。この時、外枠２３内に収納された質量体２７は、その両端に設けられたベアリング３１ａ，３１ｂおよび外枠２３に固定された平面受座３３ａ，３３ｂによりガイドされ、質量体２７は、固定部磁石３５ａ，３５ｂと可動部磁石３４ａ，３４ｂとにより外枠２３と接続された状態で一方向に振動する。
【００６５】
質量体２７の振動により、質量体２７の上下面に設置された可動部磁石３４ａ，３４ｂと、この可動部磁石３４ａ，３４ｂにそれぞれ向かい合う配置とされた固定部磁石３５ａ，３５ｂとの吸引により、質量体２７に移動抵抗力が付与され、この抵抗力により質量体２７の振動を低減する。
【００６６】
なお、可動部磁石３４ａ，３４ｂおよび固定部磁石３５ａ，３５ｂからなる振動制御手段２８のばね定数および質量体２７全体の質量は、あらかじめ記憶装置２０の回転数に概一致するように設計または調整される。この調整は、図２に示すように、質量体２７に配置されたボルト３０の取り付けおよび取外しにより微調整することができるが、この微調整をすることにより、記憶装置２０の定常動作時において、質量体２７の振動はほぼ共振点となり、その振動により記憶装置２０の固定枠２１の振動を低減できる。このため、質量体２７の振動低減により、記憶装置２０の固定枠２１の振動を低減することができる。
【００６７】
本実施形態によれば、例えば連続運転プラント制御用電子計算機等の電子機器に使用される運転中の容易な交換および保守が求められる多数の磁気ディスク等の記憶装置２０を、その専用筐体等にねじおよび防振ゴムなどで固定することなく記憶装置２０の振動を低減することが可能となる。従って、記憶装置２０の交換作業の容易性を保ちながら、高回転数型の記憶装置２０とすることができ、記憶装置２０の記憶容量および読み出しおよび書き込み速度を向上できるとともに、振動による動作不良のない信頼性の高い記憶装置２０を得ることができる。
【００６８】
また、記憶装置２０の動作時に、可動部磁石３４ａ，３４ｂと固定部磁石３５ａ，３５ｂとによる磁気的作用を用いて吸引しているため、ベアリング３１ａ，３１ｂおよび平面受座３３ａ，３３ｂには大きな力がかからず、質量体２７の移動に伴う抵抗力を小さくすることができるとともに、ベアリング３１ａ，３１ｂおよび平面受座３３ａ，３３ｂの寿命を大幅に向上できる。
【００６９】
また本実施形態においては、可動部磁石３４ａ，３４ｂおよび固定部磁石３５ａ，３５ｂの隣り合う各磁極を異磁極としている。また、質量体２７の静止位置において向かい合う可動部磁石３４ａ，３４ｂおよび固定部磁石３５ａ，３５ｂの各磁極を異磁極とし、さらに、幅方向に長い長方形磁極を複数並べて配置している。このことから、図４（ｂ）に示した各磁極間の吸引力Ｆ１および反発力Ｆ２を効率的に利用でき、小型の磁石でも大きな移動抵抗力が得られることから、記憶媒体保持装置２４を小型化とすることができる。
【００７０】
さらに、記憶装置２０の固定枠２１に対して記憶媒体保持装置２４の外枠２３の取り付けおよび取外しが可能であるため、既存の電子機器の従来の記憶装置の高性能化を図る場合においても、高回転数化に伴う大がかりな振動対策が不要となる。
【００７１】
第２実施形態（図５）
本実施形態においては、質量体の移動範囲を制限する移動変位制限部を設けた記憶媒体保持装置について、図５を用いて説明する。
【００７２】
図５は、移動変位制限部を備えた記憶媒体保持装置の構成を示す側断面図である。なお、記憶媒体保持装置の主な構成は図２とほぼ同様であるため、同一部位については同一の符号を用いた。
【００７３】
図５に示すように、記憶媒体保持装置２４は、外枠２３内に可動支持部２６を介して移動可能に質量体２７が設置され、この質量体２７と外枠２３との間に、質量体２７に移動抵抗力を付与して外枠２３の振動エネルギを減衰させると同時に、図示しない記憶装置における固定枠の振動エネルギを減衰させる振動制御手段２８が設けられている。
【００７４】
質量体２７の振動方向であり、質量体２７の両端部と当接する外枠２３の両側面内側には、質量体２７の最大変位を制限する移動変位制限部４２ａ，４２ｂが設けられる。
【００７５】
この移動変位制限部４２ａ，４２ｂは、ねじ部付のストッパ４３ａ，４３ｂと、このストッパ４３ａ，４３ｂを固定する回り止めナット４４ａ，４４ｂとから構成され、ねじ部付のストッパ４３ａ，４３ｂが外枠２３にねじ込まれ、回り止めナット４４ａ，４４ｂにより位置決めされて、ストッパ４３ａ，４３ｂが外枠２３の内側に固定される。
【００７６】
質量体２７両端部の上下面にはそれぞれ平面受座４５ａ，４５ｂが設けられ、これらの平面受座４５ａ，４５ｂに対応する位置の外枠２３内部の上下面には、ベアリング４６ａ，４６ｂが各々取り付けられている。
【００７７】
質量体２７の上下面には、振動制御手段２８としての可動部磁石３４ａ，３４ｂが固定され、これらの可動部磁石３４ａ，３４ｂと向き合う位置の外枠２３内側の上下面に、振動制御手段２８としての固定部磁石３５ａ，３５ｂが各々固定される。
【００７８】
本実施形態によれば、第１実施形態と同様に記憶媒体保持装置２４が動作し、記憶装置２０における固定枠２３の振動を低減できることから、記憶装置２０の交換容易性を保ちながら、高回転数かつ高信頼性の記憶装置２０を得ることができる。
【００７９】
また、万が一、記憶装置２０の回転数が質量体２７の振動数よりも想定外にずれて、質量体２７の振幅が増大した場合には、質量体２７の両端部がストッパ４３ａ，４３ｂに当接することにより質量体２７の変位が制限される。このため、質量体２７の振幅増大による記憶装置２０の固定枠２１の振動増大を防止できることから、より一層信頼性を向上させた記憶装置２０を得ることができる。
【００８０】
その他の実施形態（図６）
第１実施形態および第２実施形態においては、記憶装置２０に記憶媒体保持装置２４を１台設置した場合について述べたが、記憶媒体保持装置２４を記憶装置２０に複数台設置してもよい。
【００８１】
図６は、記憶装置の固定枠に記憶媒体保持装置を複数台設置した記憶装置の構成を示す上面図である。
【００８２】
図６に示すように、記憶装置２０の固定枠２１の一側面には、電気的な接続を行うための記憶装置コネクタ部２２が設けられ、この記憶装置コネクタ部２２が接続された側面以外の３側面に、記憶媒体保持装置２４が３台設置されている。
【００８３】
本実施形態によれば、各記憶媒体保持装置２４は、第１実施形態および第２実施形態と同様に動作し、記憶装置２０の固定枠２１の振動を低減できる。また、記憶装置２０の固定枠２１に特定の１方向のみでない振動が生じた場合でも、各記憶媒体保持装置２４がそれぞれ方向を分担してその振動を低減するように動作する。従って、高回転数かつ高信頼性の記憶装置２０を提供でき、さらに、記憶装置２０の水平面内の任意方向の振動を吸収することが可能となり、より一層振動低減効果を得ることができる。
【００８４】
なお、この記憶装置は、上述した構成に限定されるものではなく、磁気ディスク記憶装置のような記憶媒体を容易に交換できない記憶装置のほかに、光磁気ディスク記憶装置および光ディスク記憶装置のような記憶媒体を容易に交換する記憶装置などに適用できる。また、電子機器等の記憶装置取り付け筐体または記憶装置の専用筐体の場合でも、本発明の構成とすることにより記憶装置の読み込みおよび書き込み動作の信頼性向上の効果が得られる。
【００８５】
また、記憶装置の水平方向の振動だけでなく、上下方向の振動を低減するものとしても適用できる。
【００８６】
さらに、質量体２７の固有振動数の調整は、調整用おもりの取り付けおよび取外しのほかに、固定部磁石および可動部磁石間のギャップを調整する方法を用いてもよい。
【００８７】
【発明の効果】
以上説明したように、本発明による記憶装置によれば、移動抵抗力を与える振動制御手段として多極着磁磁石を使用することにより、例えば、コイルばねと比較して設置のための要求スペースを縮小できることから、記憶装置の小型化を図ることができる。
また、２対設けられた固定部磁石の一つによって質量体に固定された可動部磁石が吸引された場合、その逆方向からもう一つの固定部磁石によって質量体に固定されたもう一方の可動部磁石が吸引される。これにより、質量体の磁気吸引力方向に生じる力を零または磁気吸引力に対して大幅に小さくすることができ、可動支持部の負荷を軽減でき、その抵抗力の影響が減少するとともに寿命を大幅に伸ばすことができる。
さらに、記憶装置の交換作業性を損なうことなく、記憶媒体の回転に伴う振動を低減できることから、記憶媒体を高回転数とした場合においても、記憶装置の記憶容量を増大させ、読み出しおよび書き込み速度を向上させるとともに、振動による動作不良のない信頼性の高い記憶装置を得ることができる。
【図面の簡単な説明】
【図１】本発明の第１実施形態における、外部に記憶媒体保持装置を設けた記憶装置の構成を示す上面図。
【図２】本発明の第１実施形態における、記憶媒体保持装置の構成を示す側断面図。
【図３】図３（ａ）は、可動部磁石または固定部磁石として適用した多極着磁磁石の側面を示す図、図３（ｂ）は、多極着磁磁石の上面を示す図。
【図４】図４（ａ）は、可動部磁石および固定部磁石の静止状態を示す側面図、図４（ｂ）は、可動部磁石および固定部磁石の変位状態を示す側面図。
【図５】本発明の第２実施形態における、移動変位制限部を備えた記憶媒体保持装置の構成を示す側断面図。
【図６】本発明のその他の実施形態における、複数の記憶媒体保持装置を設けた記憶装置の構成を示す上面図。
【図７】従来における、記憶装置の構成を示す上面図。
【図８】従来における、記憶装置の電子機器への取り付け状態を示す上面図。
【図９】従来における、記憶装置の電子機器への取り付け状態を示す上面図。
【符号の説明】
２０  記憶装置
２１  固定枠
２２  記憶装置コネクタ部
２３  外枠
２４  記憶媒体保持装置
２５  ガイド部
２６  可動支持部
２７  質量体
２８  振動制御手段
２９  調整用おもり部
３０  ボルト
３１ａ，３１ｂ  ベアリング
３２ａ，３２ｂ  軸部
３３ａ，３３ｂ  平面受座
３４ａ，３４ｂ  可動部磁石
３５ａ，３５ｂ  固定部磁石
３６  多極着磁磁石
３７  バックヨーク
３８  平板磁石素材
３９  磁極間隔
４０  Ｓ極
４１  Ｎ極
４２ａ，４２ｂ  移動変位制限部
４３ａ，４３ｂ  ストッパ
４４ａ，４４ｂ  回り止めナット
４５ａ，４５ｂ  平面受座
４６ａ，４６ｂ  ベアリング
【図１】
0003719859.tif 000002
【図２】
0003719859.tif 000003
【図３】
0003719859.tif 000004
【図４】
0003719859.tif 000005
【図５】
0003719859.tif 000006
【図６】
0003719859.tif 000007
【図７】
0003719859.tif 000008
【図８】
0003719859.tif 000009
【図９】
0003719859.tif 000010